(57)【要約】【課題】タイルパネルの支持構造が損傷したとしても、タイルパネルが直ちに落下しまた飛散しないようにしておく機構を提供する。【解決手段】タイルパネル２の目地２ｔに嵌められて延びるワイヤロープ６が目地交差部２ｋにおいて裏または表に抜けるように挿通され、ワイヤロープ６の下方部位では他の列の目地における交差部２ｋで折り返して形成する基板裏で張りにゆとりを持たせた開もしく閉ループ７Ａ，７Ｂの端部６ｅが、トンネル壁１に固定された吊持具８により固縛される。【選択図】図１
2014173323.tif 000002
【特許請求の範囲】
【請求項１】
直張りもしくは浮かし張りによりトンネル壁に付設されるタイルパネルが基板とその上面において縦横に多数並べて接着されたタイルとでなり、トンネル壁に付設された状態のタイルパネルの姿勢が常時はトンネル壁に打設されたパネル支持用アンカーにより保たれているトンネル壁面被覆構造において、
タイルパネルの縦目地に嵌められて延びるワイヤロープが目地交差部において裏または表に抜けるように挿通され、該ワイヤロープの下方部位では他の列の目地における交差部で折り返して形成する基板裏で張りにゆとりを持たせた開もしく閉ループの端部が、トンネル壁に固定された吊持具により固縛されていることを特徴とするトンネル壁面被覆用タイルパネルの落下防止機構。
【発明の詳細な説明】
【技術分野】
【０００１】
本発明はトンネル壁面被覆用タイルパネルの落下防止機構に係り、詳しくは、タイルパネルを壁面に固定するアンカーが抜けるなどしても、タイルパネルが直ちに落下しないようにしておくことができるパネルの落下防止構造に関するものである。
【背景技術】
【０００２】
トンネル壁面被覆用タイルパネルの落下を防止しようとする構造は提案されるところでないが、例えば高架道路の遮音板などが支柱から外れても直ちに落下しないようにした機構が、例えば特開２００２−２２７１４１に記載されている。
【０００３】
遮音板は左右に幾つもが並べられるが、通常は遮音板ごとの両端に立設される例えばＨ形鋼支柱の凹みに嵌められる。しかし、強風や地震に見舞われるなどして支柱から遮音板が外れると落下したり、風などに煽られると飛散したりする。このようなことを回避するために特許文献１としての上記特開２００２−２２７１４１では、遮音板を支柱から離れにくいようにワイヤロープで係留している。
【０００４】
遮音板が通常は一段構造であるということもあって、ワイヤロープは遮音板の前面または裏面もしくは両面においてほぼ水平となるように張設され、適宜の箇所で遮音面に固縛具を設けて融通を持たせた状態とされる。そのロープの端部は支柱に固定されるから、支柱の位置が保たれているかぎり遮音板は支柱から離散することはない。
【先行技術文献】
【特許文献】
【０００５】
【特許文献１】特開２００２−２２７１４１
【発明の概要】
【発明が解決しようとする課題】
【０００６】
トンネル壁を被覆するタイルパネルは例えば特開２００１−７３５３１に記載されているように、多数のタイルが基板上に縦横に配置して接着されたものである。このようなタイルパネルは車両通行用トンネルのコンクリート壁面の美観向上・水洗いの簡便化に寄与するために、多数が連続して上下左右方向に並ぶよう配置されたものであるが、タイルパネル自体は、次に述べるように、直接もしくは間接的にコンクリートアンカー（パネル支持用アンカー）により固定される。
【０００７】
タイルパネルの壁面貼着はタイル目地（タイル間に生じた隙間）の交差部にアンカーを打設するか（直張り工法）、壁面にアンカー止めされた取付金具の突き出された受け面で支持するか（浮かし張り工法）であるが、いずれにしてもコンクリートアンカーとしてはステンレス鋼製が使用され、錆発生の抑制には配慮が施される。しかし、年月の経過などによりアンカーの劣化や壁面の劣化はあり得るわけで、アンカーが同時に固定能力を失うわけでないにしても、ある箇所でアンカー止め効果が薄れれば、他のアンカーの負担が増大する。もし、連鎖反応的にアンカーが緩んだり抜ければタイルパネルは落下する。これが路面上に飛散しないとも限らない。
【０００８】
しかし、タイルパネルにワイヤロープを懸装するとなると、ワイヤロープを引っ掛けたり通したりするフックもしくはアイのようなものが必要となり、しかも、それをタイルパネルの裏面に設けることになる。前照灯の光の反射機能を保持する意味で、タイル表面に邪魔ものや異物を付設することは難があるからである。遮音板の場合のように支柱があるわけでもないので、ロープを水平に張ることも実質的に不可能に近い。
【０００９】
本発明は上記の問題に鑑みなされたもので、その目的は、縦横に並べて接着されたタイルとそれを保持する基板からなるタイルパネルのトンネル壁への取りつけは従前形式の直張りや浮かし張りとするにしても、その支持構造が破綻した際に、タイルパネルが落下しまたは飛散しないようにしておくこと、壁面支持構造が破損しても、タイルパネルの落下機構に急激な荷重負担が発生しないようにして、タイルパネルの傾きや落下の緩慢化とタイルパネル自体の破壊進行の遅延化を図ることができるトンネル壁面被覆用タイルパネルの落下防止機構を提供することである。
【課題を解決するための手段】
【００１０】
本発明は、直張りもしくは浮かし張りによりトンネル壁に付設されるタイルパネルが基板とその上面において縦横に多数並べて接着されたタイルとからなり、トンネル壁に付設された状態のタイルパネルの姿勢が常時はトンネル壁に打設されたパネル支持用アンカーにより保たれているトンネル壁面被覆構造に適用される。その特徴とするところは、図１を参照して、タイルパネル２の目地に嵌められて延びるワイヤロープ６が目地交差部２ｋにおいて裏または表に抜けるように挿通され、ワイヤロープ６の下方部位では他の列の目地における交差部２ｋで折り返して形成する基板裏で張りにゆとりを持たせた開もしく閉ループ７Ａ，７Ｂの端部６ｅが、トンネル壁１に固定された吊持具８により固縛されていることである。
【発明の効果】
【００１１】
本発明によれば、タイルパネルにワイヤロープが掛けられているから、タイルパネルのトンネル壁取付構造をなすパネル支持用アンカーの機能が著しく低下しても、ワイヤロープがパネルの落下をくい止める。また、基板裏で張りにゆとりのあるループは急激な倒れを回避するだけでなく、吊持具に作用する荷重の漸増化の促進により吊持具のトンネル壁脱落も遅らせることになって都合がよい。
【００１２】
タイルの目地が形成する凹みを利用してワイヤロープを這わすようにしているので、ワイヤロープの存在が前照灯の反射を阻害したり、タイル面を伝う水滴などによる光沢面の汚れを助長させることはない。ワイヤロープはタイルパネルの表では目地に沿い、予め決められた次の目地交差部までパネル裏を這うことになるので、タイルパネルを縫うようにしてワイヤロープを挿通させることができ、ワイヤロープによるタイルパネルの吊持の安定を長期に確保することができる。
【図面の簡単な説明】
【００１３】
【図１】本発明に係るトンネル壁面被覆用タイルパネルの落下防止機構であって、直張りの複数パネル吊持形態の場合を全体構成図。
【図２】トンネル壁面被覆用タイルパネルの落下防止機構に使用される吊持具とその構成要素の一例の構成図。
【図３】ワイヤロープで閉ループを形成させた場合の懸装形態、および折り返しロープを目地に沿わせるか基板裏を這わせた場合の全体構成図。
【図４】直張りの複数パネル吊持形態であって、裏当てスペーサが採用されている場合の全体構成図。
【図５】直張りの複数パネル吊持形態であって、裏当てスペーサとしてモルタル盛りが採用されている場合の全体構成図。
【図６】浮かし張りの複数パネル吊持形態の場合を示した全体構成図。
【図７】浮かし張りの単数パネル吊持形態の場合を示した全体構成図。
【発明を実施するための形態】
【００１４】
以下に、本発明に係るトンネル壁面被覆用タイルパネルの落下防止機構を、その実施の形態を表した図面に基づいて詳細に説明する。図１は、直張りの複数パネル吊持形態の場合である。トンネル壁１に付設されるタイルパネル２は、基板３とその上面において縦横に多数並べて接着されたタイル４とでなる。トンネル壁１に付設された状態のタイルパネル２の姿勢は、常時はトンネル壁に打設されたパネル支持用アンカー５により保たれている（図中のＡ−Ａ線端面図を参照）。
【００１５】
このようなタイルパネル２の壁面貼着機構において、タイルパネル２の縦目地２ｔに嵌められて延びるワイヤロープ６が目地交差部２ｋにおいて裏または表へ抜け出るように挿通される。このワイヤロープ６は、下方部位で他の列の目地に向けて水平とされ、所望する交差部２ｋで上方へ折り返えされる。これによって形成する開ループ７Ａは張りにゆとり９が持たされる。このようにロープに緩みを残しておけば、ワイヤロープ６に急激な力が作用しても、そのゆとりが無くなるまではワイヤロープ６の緊張を急激に高めずにすることができる。なお、ゆとりは言うまでもなく基板の裏側で取られるものである。上端に位置するループの端部６ｅがトンネル壁に固定された吊持具８により固縛される。この吊持具８については図２のところでもう少し詳しく述べる。
【００１６】
図１の中央の図においては、色分けした４枚のタイルパネル２がトンネル壁１に貼着された状態で描かれている。ワイヤロープ６はその右半部のごとく縦目地２ｔに沿って配置されるが、その挿通の裏か表かを把握しやすいように、左半部では意図的に目地から外して描かれている。実線部６ｊのロープはタイルパネル２の表に形成される目地に沿うもので、破線部６ｈはタイルパネル２の裏面に回ったものであることを示す。そのワイヤロープ６は、図１中の左端の厚みを誇張して表した図および下部の図から把握できるように基板３のみを縫っている。
【００１７】
中央の図で一段と太くてＵ字形をなすワイヤロープ６が一つの開ループ７Ａを形成している。その左のワイヤロープはもう一つの開ループ７Ａａ（細く描かれたワイヤロープで形成される）をなすが、その左半部は描かれていない。同様に、右のワイヤロープはもう一つ他の開ループ７Ａｂをなすが、その右半部は描かれていない。この開ループによれば隣りあうタイルパネル２の四枚が繋がれることになる。
【００１８】
吊持具８は図２に示すようなものであればよいが、この例では、石引きアンカー８Ａとボルトクリップ８Ｂとでなっている。石引きアンカーはヘッドにロープ挿通孔８ｃがあり、ロープ端部６ｅを纏める。ロープ挿通孔を出た二つのロープ端はボルトクリップ８Ｂに挟まれて固縛される。ちなみに、図示のボルトクリップ８Ｂはボルトのねじ部に長手方向の溝８ｍが切られてロープ収容空間が確保され、ナット８ｎをねじ込むとボルトヘッド８ｈとで二つのロープ端を強固に押さえる。もちろん、このような構成にかぎらず、公知のクリップを用いることもできる。石引きアンカーについても公知の代替手段を使用できることは言うまでもない。なお、図１のごとくタイルパネル２が直張りされる場合は、吊持具を設置するスペースはほとんどなく、それゆえに上に位置するタイルパネル２の上縁よりも高い位置１０の設置となる。
【００１９】
上記したように、タイル４の目地が形成する凹みを利用してワイヤロープ６を這わすようにしているので、ワイヤロープ６の存在が車の前照灯の光の反射を阻害したり、タイル面を伝う水滴などによるタイル光沢面の汚れの助長をきたすこともない。ワイヤロープ６はタイルパネル２の表では縦目地２ｔに沿い、予め決められた次の目地交差部２ｋまでパネル裏を這うことになるので、タイルパネル２を縫うようにしてワイヤロープ６を挿通させることができ、ワイヤロープ６によるタイルパネル２の吊持の安定を長期に保っておくことができる。
【００２０】
このように、ワイヤロープ６は基板３を内外から支えるから、基板３はワイヤロープ６に耐えるものであることが必要となるが、耐えさえする材質であれば、タイル４との直接の接触を避けた吊持形態を実現する。なお、ワイヤロープ６が這う箇所の目地に目地剤を塗布するなどすれば、ワイヤロープ６を目につかないようにしておくことができる。
【００２１】
図３は、ワイヤロープで閉ループを形成させた場合の懸装形態、および折り返しロープを横目地２ｙに沿って這わせた場合の全体構成を右に、基板裏でほぼ水平に這わせた場合を左に示す（左は図１の場合と同様に意図的に目地から離して描き、ワイヤロープの位置の把握を容易にしている）。中央の図で先（上）すぼまりのＵ字形をなすワイヤロープ６が一つの閉ループ７Ｂを形成する。閉ループ７Ｂの場合は上下２枚のタイルパネル２，２を繋ぐことになる。なお、ワイヤロープ６の下端部は左の図では基板裏に沿って引き回されるが、右の図では横目地２ｙに沿って配置されている。
【００２２】
図４は直張りの複数パネル吊持形態であって、裏当てスペーサ１２が採用されている場合の全体構成図である。裏当てスペーサとしては例えば長い木製の板１２Ａであり、厚みは１０ｍｍ前後のものである。トンネル壁を伝う地下水などの水滴がタイルパネル２に及びにくいように、タイルパネル２を壁面から浮かすためのものである。パネル支持用アンカー５は上下方向に延びる木製板を貫くように打たれる。図中の左の厚み誇張図から分かるように、基板３の裏側を這うワイヤロープ６は木製板１２Ａの上面を通る。
【００２３】
木製板１２Ａは、それぞれが支持具（図示せず）を用いて所定高さでトンネル壁に予め立てかけられる。木製板にはワイヤロープ６を縫わせたタイルパネル２が押しつけられ、木製板を貫く部位の目地交差部２ｋにアンカーが打たれ、全体の固定が図られる。なお、ワイヤロープ６は例えば１．５ｍｍ径であり、基板３と木製板の間に位置することがあっても、タイルパネル２の姿勢に影響を及ぼすほどのものでない。
【００２４】
図５も直張りの複数パネル吊持形態であるが、裏当てスペーサ１２としてモルタル盛り１２Ｂが採用されている。そのモルタル盛りは水平に延びる。パネル支持用アンカー５の全てはモルタル盛り１２Ｂを貫くように打たれる。図中の左の図から分かるように、基板３の裏側を這うワイヤロープ６はモルタル盛りの上面を通る。なお、モルタル盛りはこて当て作業によりトンネル壁に予め直接施される。裏当てスペーサとしてのモルタル盛りは可能なら上下方向に延びるものであってもよく、パネル支持用アンカーの打設は木製板の場合と同じ要領でよい。ちなみに、図４のように裏当てスペーサを木製板とした場合、その図と異なり水平方向に延びるものとしてもよい。漏水の多少等、その位置でのトンネル壁の状況に応じて裏当てスペーサの種類や姿勢を適宜選べばよい。
【００２５】
図６は浮かし張りの複数パネル吊持形態の場合を示している。浮かし張りは図の右にあるように取付金具１４をトンネル壁１にアンカー５を介して固定されるものである。その形や機能の一例は特開２００１−７３５３１に開示されているので、詳細な説明は省く。タイルパネル２はトンネル壁から例えば５０ｍｍや１００ｍｍといったように離隔した位置に設置されることになるので、上記した裏当てスペーサが採用されることはない。この浮かし張りの場合はタイルパネル２の背面にスペース１５が確保されるから、図中の左の二つを比較して分かるように、上に位置するタイルパネル２の上縁よりも低い位置１６の設置とすることもできる。
【００２６】
図７は浮かし張りの単数パネル吊持形態となっている。先のいずれの例もワイヤロープ６が隣りあうタイルパネル２，２を繋ぐようにしていたが、この図のように、タイルパネル２一つを吊持するだけのワイヤロープ掛けとすることもできる。この場合も、タイルパネル２ごとの吊持具８は各タイルパネル２の上縁よりも上方であっも下方であってもよいことは言うまでもない。
【００２７】
いずれの例においても、タイルパネル２にはワイヤロープ６が掛けられているから、タイルパネル２のトンネル壁取付構造をなすパネル支持用アンカー５の機能が著しく低下したとしても、ワイヤロープ６がパネルの落下をくい止める。また、張りにゆとりのあるループは急激な倒れを回避するだけでなく、吊持具８に作用する荷重の漸増化の促進により吊持具のトンネル壁脱落も遅延化させて都合がよい。パネル支持用アンカー５の機能劣化と吊持具８に使用されるアンカーの劣化とが歩調を合わせることがあるとしても、それぞれが多数使用されることから、アンカー抜けが一斉に起こる確率は極めて低くなる。アンカーの種類または寸法などを違えておけば尚更である。
【符号の説明】
【００２８】
１…トンネル壁、２…タイルパネル、２ｔ…縦目地、２ｙ…横目地、２ｋ…目地交差部、３…基板、４…タイル、５…支持用アンカー、６…ワイヤロープ、６ｅ…ロープ端部、７Ａ…開ループ、７Ｂ…閉ループ、８…吊持具。
【図１】
2014173323.tif 000003
【図２】
2014173323.tif 000004
【図３】
2014173323.tif 000005
【図４】
2014173323.tif 000006
【図５】
2014173323.tif 000007
【図６】
2014173323.tif 000008
【図７】
2014173323.tif 000009